(57)【特許請求の範囲】
【請求項１】
下階床の一部の上方に第１上階床が設けられ、この第１上階床と下階床との間が第１部屋とされ、
前記第１上階床の一部の上方および前記下階床の上方に第２上階床が設けられ、第１上階床と第２上階床との間が、天井高が０．９ｍ〜１．４ｍの収納室とされるとともに、第２上階床と下階床との間が前記第１部屋および収納室に隣接する第２部屋とされており、
前記収納室に隣接するようにして前記第１上階床上に第３部屋が設けられ、この第３部屋に隣接するようにして前記第２上階床上に第４部屋が設けられており、
前記収納室には、前記第２部屋および第３部屋に面して開口部が設けられており、
これら開口部には、これら開口部を開放または閉塞し、開放時には、前記収納室を介して第２部屋と第３部屋とを空気流通可能に連通する開閉扉が設けられており、
前記第２部屋と第３部屋とは、前記収納室を挟んで対向するようにして配置されており、前記収納室の第２部屋側の壁に前記第２部屋に面する開口部が形成され、この収納室の第２部屋側の壁に対向する第２部屋の壁に外部へ通じる窓が設けられており、前記収納室の第３部屋側の壁に前記第３部屋に面する開口部が形成され、この収納室の第３部屋側の壁に対向する第３部屋の壁に外部へ通じる窓が設けられており、
前記第２部屋と収納室とは、同じ第２上階床の下方に位置することによって、互いの天井間に段差がない状態とされており、
前記第３部屋と収納室とは、同じ第１上階床の上方に位置することによって、互いの床間に段差がない状態とされていることを特徴とする建物。
【請求項２】
請求項１に記載の建物において、
前記第２部屋に設けられた窓は高窓とされていることを特徴とする建物。
【請求項３】
請求項１または２に記載の建物において、
前記第２部屋に面した開口部に設けられる開閉扉には、この開閉扉の略全面にわたってルーバーが設けられていることを特徴とする建物。
【請求項４】
請求項１〜３のいずれか一項に記載の建物において、
前記第４部屋の上部にロフトが設けられ、このロフトの天井部には、上端部が屋根から上方に突出して外部と連通する排気塔が設けられていることを特徴とする建物。
【請求項５】
請求項１〜４のいずれか一項に記載の建物において、
前記第１部屋および第４部屋には外部へ通じる窓がそれぞれ設けられていることを特徴とする建物。
【発明の詳細な説明】
【技術分野】
【０００１】
本発明は、下階において異なる天井高さに設定された複数の部屋と、下階の部屋に合わせ、上階において異なる床レベルとなるように設定された複数の部屋とを備えた建物に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
【０００３】
そして、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００４】
ところが、このような換気装置を用いると換気装置の設置にコストがかかる上、多くのエネルギーを消費するという問題があった。このため、特に、春や秋等の気候がよい季節においては上記のような換気装置を用いずに、各部屋の窓やドアを開けて建物内に外気を導入し、建物内部の空気と入れ換える等して自然換気を行うようにしている。
【０００５】
しかしながら、暖かい空気は上昇する性質を備えており、各部屋の窓やドアを開けただけでは、この暖かい空気が各部屋の天井部付近に溜まってしまい、効率よく換気を行うことが困難であった。このため、住宅等の建物において自然換気を効率良く行うことが可能な技術の開発が望まれていた。
【０００６】
また、以上のような換気装置や空調機器は、建物の各部屋や小屋裏空間、天井懐等に設置されるが、その際、建物内の各部屋の天井高を低くとったり、収納スペースを削ったりなどして設置のためのスペースを確保する場合がある。
このため、上記のように効率の良い自然換気が可能な建物においては、前記換気装置や空調機器を設置するためのスペースを確保するかわりに、例えば、建物内に比較的大きな収納スペースを設ける等、建物内のスペースを有効的に活用したいという要望があった。
【０００７】
本発明の課題は、建物内に比較的大きな収納スペースを設けることができるとともに、自然換気を効率良く行うことが可能な建物を提供することを目的とする。
【課題を解決するための手段】
【０００８】
請求項１に記載の発明は建物１であり、例えば、図１に示すように、下階床１０ａの一部の上方に第１上階床２０ａが設けられ、この第１上階床２０ａと下階床１０ａとの間が第１部屋１１とされ、
前記第１上階床２０ａの一部の上方および前記下階床１０ａの上方に第２上階床２０ｂが設けられ、第１上階床２０ａと第２上階床２０ｂとの間が、天井高が０．９ｍ〜１．４ｍの収納室２とされるとともに、第２上階床２０ｂと下階床１０ａとの間が前記第１部屋１１および収納室２に隣接する第２部屋１２とされており、
前記収納室２に隣接するようにして前記第１上階床２０ａ上に第３部屋２１が設けられ、この第３部屋２１に隣接するようにして前記第２上階床２０ｂ上に第４部屋２２が設けられており、
前記収納室２には、前記第２部屋１２および第３部屋２１に面して開口部３、４が設けられており、
これら開口部３，４には、これら開口部３，４を開放または閉塞し、開放時には、前記収納室２を介して第２部屋１２と第３部屋２１とを空気流通可能に連通する開閉扉５，５が設けられており、
前記第２部屋１２と第３部屋２１とは、前記収納室２を挟んで対向するようにして配置されており、前記収納室２の第２部屋１２側の壁に前記第２部屋１２に面する開口部３が形成され、この収納室２の第２部屋１２側の壁に対向する第２部屋１２の壁に外部へ通じる窓１２ａが設けられており、前記収納室２の第３部屋２１側の壁に前記第３部屋２１に面する開口部４が形成され、この収納室２の第３部屋２１側の壁に対向する第３部屋２１の壁に外部へ通じる窓２１ａが設けられており、
前記第２部屋１２と収納室２とは、同じ第２上階床２０ｂの下方に位置することによって、互いの天井間に段差がない状態とされており、
前記第３部屋２１と収納室２とは、同じ第１上階床２０ａの上方に位置することによって、互いの床間に段差がない状態とされていることを特徴とする。
【０００９】
請求項１に記載の発明によれば、前記第２部屋１２が前記第１部屋１１よりも天井高の高い部屋になっているとともに、前記第３部屋２１が設けられる第１上階床２０ａが、前記第４部屋２２が設けられる第２上階床２０ｂよりも低い床レベルになっているので、前記第２部屋１２の天井部付近と前記第３部屋２１の床付近との間に比較的大きい空間を形成することができ、この空間に前記収納室２を設けることができる。
また、建物１の上階２０と下階１０とのほぼ中間に位置する前記第１上階床２０ａ上に比較的大きい収納スペースを設けることによって、下階１０や外部で使用する物品も、上階２０で使用する物品も収納しやすくなるので、建物１の収納性能を向上することが可能となる。さらに、同じ床レベルに前記収納室２と第３部屋２１とが設けられているので、前記第３部屋２１からの物品の搬入および搬出がし易い。
その上、前記収納室２に前記第２部屋１２および第３部屋２１に面して開口部３、４が設けられることによって、下階１０の部屋の空気は上階２０へと行き渡りやすくなり、上階２０の部屋の空気は下階１０へと行き渡りやすくなるので、建物１全体の空気の流通性が向上し、建物１内の換気を行う際において効率良く自然換気を行うことが可能となる。
また、開閉扉５によって前記開口部３、４を開放した場合、前記第２部屋１２と第３部屋２１とが連通して空気の流通性が向上するので、特に夏場等の温暖な時季において効率の良い自然換気が可能となる。
一方、前記開口部３、４を閉塞した場合、各階１０、２０の気密性を向上することができるので、建物１を暖房する際の補助となり、特に冬場等の寒冷な時季において過ごしやすい生活環境を作り出すことが可能となる。
【００１０】
請求項２に記載の発明は、例えば、図１に示すように、請求項１に記載の建物１において、
前記第２部屋１２に設けられた窓１２ａは高窓とされていることを特徴とする。
【００１１】
請求項３に記載の発明は、例えば、図１および図２に示すように、請求項１または２に記載の建物１において、
前記第２部屋１２に面した開口部３に設けられる開閉扉５には、この開閉扉５の略全面にわたってルーバー５ｂが設けられていることを特徴とする。
【００１２】
請求項４に記載の発明は、例えば、図１に示すように、請求項１〜３のいずれか一項に記載の建物１において、
前記第４部屋２２の上部にロフト２３が設けられ、このロフト２３の天井部には、上端部が屋根２５から上方に突出して外部と連通する排気塔２４が設けられていることを特徴とする。
【００１３】
請求項４に記載の発明によれば、前記第４部屋２２の上部にロフト２３が設けられ、このロフト２３の天井部に、上端部が屋根２５から上方に突出して外部と連通する排気塔２４が設けられることによって、暖かい空気の上昇する性質を利用して建物１全体の暖かい空気を前記ロフト２３へと流入させ、この暖かい空気を、前記排気塔２４を通じて外部へと排出することができるので、より効率良く自然換気を行うことが可能となる。
【００１４】
請求項５に記載の発明は、例えば、図１に示すように、請求項１〜４のいずれか一項に記載の建物１において、
前記第１部屋１１および第４部屋２２には外部へ通じる窓１１ａ、２２ａがそれぞれ設けられていることを特徴とする。
【００１５】
請求項５に記載の発明によれば、それぞれ異なる天井高または異なる床レベルに設定された各部屋１１、１２、２１、２２に外部へ通じる窓１１ａ、１２ａ、２１ａ、２２ａが設けられているので、これら各窓１１ａ、１２ａ、２１ａ、２２ａを開放することで効率良く自然換気を行うことが可能となる。
すなわち、天井高の低い第１部屋１１の窓１１ａから天井高の高い第２部屋１２へと空気を送ることによって、下階１０の部屋全体の暖かい空気を第２部屋１２の天井部付近に溜めることができる。そして、前記第２部屋１２の天井部付近に溜まった暖かい空気を、第２部屋１２の窓１２ａから空気を流入させることによって第３部屋２１へと送ることができる。
一方、前記第３部屋２１の窓２１ａから流入させた空気を、第３部屋２１の天井部付近に溜まった暖かい空気を第４部屋２２へと送る際の補助として用いることができる。そして、前記第４部屋２２の窓２２ａから空気を流入させることで、第４部屋２２の天井部付近に溜まった暖かい空気を、前記排気塔２４を通じて外部へと排出することができる。
したがって、前記第１部屋１１、第２部屋１２、第３部屋２１および第４部屋２２に設けられた窓１１ａ、１２ａ、２１ａ、２２ａを開放することによって、外部から空気を招き入れて各部屋１１、１２、２１、２２内の暖かい空気をより上昇させることができるので、効率良く自然換気することが可能となる。
【発明の効果】
【００１６】
本発明によれば、建物の下階において第１部屋よりも第２部屋の方が天井高が高くなるように設けられるとともに、これら第１部屋および第２部屋の天井高に合わせて、上階において第３部屋よりも第４部屋の方が床レベルが高くなるように設けられることによって、前記第２部屋の天井部付近と前記第３部屋の床付近との間に比較的大きい空間を形成することができ、この空間に収納室を設けることができる。また、建物の上階と下階とのほぼ中間に位置する第１上階床上に比較的大きい収納スペースを設けることによって、下階や外部で使用する物品も、上階で使用する物品も収納しやすくなるので、建物の収納性能を向上することが可能となる。さらに、同じ床レベルに前記収納室と第３部屋とを設けることで、前記第３部屋からの物品の搬入および搬出がし易くなる。
その上、前記収納室に、前記第２部屋および第３部屋に面して開口部が設けられることによって、下階の部屋の空気は上階へと行き渡りやすくなり、上階の部屋の空気は下階へと行き渡りやすくなるので、建物全体の空気の流通性が向上し、建物内の換気を行う際において効率良く自然換気を行うことが可能となる。
また、前記第４部屋の上部にロフトが設けられ、このロフトの天井部に、上端部が屋根から上方に突出して外部と連通する排気塔が設けられることによって、暖かい空気の上昇する性質を利用して建物全体の暖かい空気を前記ロフトへと流入させて、この暖かい空気を前記排気塔を通じて外部へと排出することができるので、より効率良く自然換気を行うことが可能となる。
【発明を実施するための最良の形態】
【００１７】
以下、図面を参照して本発明に係る建物１の実施の形態について説明する。
なお、以下の各実施の形態において説明する建物１は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
また、以下の各実施の形態において説明する建物１は、下階（１階）１０において異なる天井高に設定された複数の部屋１１、１２と、下階１０の部屋に合わせ、上階（２階）２０において異なる床レベルとなるように設定された複数の部屋２１、２２とを備えた２階建ての建物１となっている。
【００１８】
（第１の実施の形態）
本実施の形態の建物１は、図１に示すように、下階床１０ａの一部の上方に第１上階床２０ａが設けられ、この第１上階床２０ａと下階床１０ａとの間が第１部屋１１とされ、
前記第１上階床２０ａの一部の上方および前記下階床１０ａの上方に第２上階床２０ｂが設けられ、第１上階床２０ａと第２上階床２０ｂとの間が収納室２とされるとともに、第２上階床２０ｂと下階床１０ａとの間が前記第１部屋１１および収納室２に隣接する第２部屋１２とされており、
前記収納室２に隣接するようにして前記第１上階床２０ａ上に第３部屋２１が設けられ、この第３部屋２１に隣接するようにして前記第２上階床２０ｂ上に第４部屋２２が設けられており、
前記収納室２には、前記第２部屋１２および第３部屋２１に面して開口部３、４が設けられている。
【００１９】
ここで、前記下階床１０ａ上には、前記第１部屋１１および第２部屋１２が設けられており、前記第１部屋１１は、前記第２部屋１２よりも天井高の低い部屋となっている。また、本実施の形態において前記第１部屋１１はダイニングおよびキッチンとして用いられ、前記第２部屋１２は吹抜け空間を有する広々としたリビングとして用いられている。
このように前記第２部屋１２を前記第１部屋１１よりも高い天井高とすることで、暖かい空気が上昇する性質を利用して、前記第１部屋１１の天井部付近に溜まった暖かい空気を、前記第２部屋１２の天井部付近に溜めることができるようになる。この時、前記第２部屋１２内の暖かい空気も前記第１部屋１１の暖かい空気とともに第２部屋１２の天井部付近に溜めることができるようになっている。
【００２０】
また、図示はしないが、前記第１部屋１１および第２部屋１２の他にも、例えば玄関ホールや玄関土間等を備えた玄関部、浴室や洗面室、トイレ等を備えた水回り室等が設けられて建物１の１階部分を形成している。
【００２１】
さらに、前記下階床１０ａ上には、前記第１部屋１１の上部に位置し、かつ下階床１０ａの一部の上方に設けられた前記第１上階床２０ａに上がるための階段（図示せず）が設けられている。このような階段は、前記第１部屋１１に設けても良いし、前記第２部屋１２に設けても良く、また、一直線状の階段としても良いし、途中に踊り場を設けて折り返して上がるような階段でも良く、その他、適宜変更可能である。
【００２２】
次に、前記第１上階床２０ａには、上述したように、この第１上階床２０ａの一部の上方および前記下階床１０ａの上方に第２上階床２０ｂが設けられており、第１上階床２０ａと第２上階床２０ｂとの間が前記収納室２とされるとともに、第２上階床２０ｂと下階床１０ａとの間が前記第２部屋１２とされている。
【００２３】
前記収納室２は、前記第２部屋１２の天井部および第３部屋２１に面して設けられており、前記第２部屋１２に向かって開口する開口部３と、前記第３部屋２１に向かって開口する開口部４とが設けられている。
すなわち、前記第２部屋１２と第３部屋２１とは、前記収納室２を介して連通した状態となっており、空気の流通性を向上させることができるようになっている。これによって、前記第２部屋１２の天井部付近に溜まった下階１０の部屋全体の暖かい空気が、前記収納室２を通じて前記第３部屋２１と流入するようになる。
【００２４】
また、前記第３部屋２１は、前記第１上階床２０ａ上に設けられて、例えば寝室や子ども部屋として用いられており、勾配天井２１ｂを有した部屋２１となっている。
なお、前記勾配天井２１ｂは、隣接する前記第４部屋２２に向かうほど高くなっているので、第３部屋２１から第４部屋２２へと空気が流通し易くなっているので好ましい。これによって、前記下階１０の部屋から上がってきた暖かい空気を、容易に第４部屋２２へと流入させることができるようになっている。
【００２５】
また、前記収納室２に設けられた開口部３、４には、これら開口部３、４を開閉する開閉扉５が設けられており、これら開閉扉５によって前記開口部３、４を開放した場合には、前記第２部屋１２と第３部屋２１とが連通して空気の流通性が向上するので、特に夏場等の温暖な時季において効率の良い自然換気が可能となる。
一方、前記開口部３、４を閉塞した場合には、各階１０、２０の気密性を向上することができるので、建物１を暖房する際の補助となり、特に冬場等の寒冷な時季において過ごしやすい生活環境を作り出すことが可能となる。
【００２６】
前記開閉扉５として、図２（ａ）に示すように、前記第３部屋２１に面した開口部４には引戸形式の開閉扉５ａが設けられている。このような引戸形式の開閉扉５であれば、開け閉めが容易で、物品の搬出入がし易くなっている。
なお、このように引戸の形式のものに限られるものではなく、例えば観音開き形式のものでも良く、本発明の趣旨を逸脱しない範囲で適宜変更可能である。
また、前記第２部屋１２の天井部付近に面した開口部３に設けられる開閉扉５については、図２（ｂ）に示すように、前記収納室２に収納された物品の落下等を防ぐために開閉可能に設定されたルーバー５ｂ等を用いることが望ましい。
【００２７】
なお、本実施の形態において前記収納室２は、前記第１上階床２０ａから第２上階床２０ｂまでの天井高が１．４ｍに設定されているが、０．９ｍ〜１．４ｍの高さ範囲であれば、これに限られるものではない。
すなわち、このように、前記収納室２の天井高を０．９ｍ〜１．４ｍに設定することによって、居住者が収納室２に入って、何とか作業ができる最低限の高さを確保でき、また、このように天井高を必要最低限に押さえることで、建物１の高さが高くなることによって隣接する建物に及ぼす日照現象等の影響を極力少なくすることが可能となっている。
【００２８】
前記第１上階床２０ａ上には、前記第２上階床２０ｂに上がるための階段（図示せず）が設けられており、前記第２上階床２０ｂ上に設けられた前記第４部屋２２と行き来できるようになっている。
【００２９】
次に、前記第４部屋２２は、図１に示すように、前記第２上階床２０ｂ上に設けられ、例えば寝室や子ども部屋として用いられており、上部にはロフト２３が設けられている。
【００３０】
また、このロフト２３の天井部には、上端部が屋根２５から上方に突出して外部と連通する排気塔２４が設けられており、これによって、前記下階１０からの暖かい空気および第３部屋２１の暖かい空気を、前記第４部屋２２内の暖かい空気とともに前記ロフト２３へと流入させることができるようになっている。したがって、建物１全体の暖かい空気を前記排気塔２４を通じて外部へと排出することができるので、より効率良く自然換気を行うことが可能となる。
【００３１】
また、前記排気塔２４の上端部には、図示しない排気口２４ａ閉塞手段によって外部からの風雨の侵入を防ぎながら建物１内の空気を排出することが可能に設けられた排気口２４ａが形成されている。
なお、前記排気口２４ａ閉塞手段としては、以下に挙げるものに限られるものではないが、例えば、弁膜状の部材等が挙げられる。このような弁膜状の部材によれば、建物１内から排出される空気に押されることによって、前記排気口２４ａを開放することができるようになっているので好ましい。
【００３２】
さらに、本実施の形態においては、前記ロフト２３の天井部には前記排気塔２４の筒状部２４ｂを開閉するための開閉部材（図示せず）が設けられている。
このような開閉部材によれば、前記筒状部２４ｂを開いた状態にした場合、排気経路が開放されて自然換気を効率良く行うことができ、前記筒状部２４ｂを閉めた状態にした場合、排気経路が閉塞されて建物１内の気密性を向上することができるようになっている。
すなわち、例えば夏場等の温暖な時季においては、前記筒状部２４ｂを開いた状態にすることによって、建物１内の暖かい空気を効率良く排気することができるとともに、冬場等の寒冷な時季においては、前記筒状部２４ｂを閉めた状態することによって、建物１内の暖かい空気を逃がさないようにすることができるので、居住性の向上を図ることが可能となる。
また、このように夏場において暖かい空気を効率良く排気することができるとともに、冬場において建物１内の暖かい空気を逃がさないようにすることができるので、従来とは異なり、空調機器や換気装置等に係るコストを抑えることが可能となり、その上、多くのエネルギー消費を抑制することが可能となっている。
【００３３】
一方、前記第１部屋１１、第２部屋１２、第３部屋２１および第４部屋２２には外部へ通じる窓１１ａ、１２ａ、２１ａ、２２ａがそれぞれ設けられている。これによって、それぞれ異なる天井高または異なる床レベルに設定された各部屋１１、１２、２１、２２に外部へ通じる窓１１ａ、１２ａ、２１ａ、２２ａが設けられた状態となるので、これら各窓１１ａ、１２ａ、２１ａ、２２ａを開放することで効率良く自然換気を行うことが可能となる。
【００３４】
すなわち、天井高の低い第１部屋１１の窓１１ａから天井高の高い第２部屋１２へと空気を送ることによって、下階１０の部屋全体の暖かい空気を第２部屋１２の天井部付近に溜めることができ、前記第２部屋１２の天井部付近に溜まった暖かい空気を、第２部屋１２の窓１２ａから空気を流入させることによって第３部屋２１へと送ることができるようになっている。
一方、前記第３部屋２１の窓２１ａから流入させた空気を、第３部屋２１の天井部付近に溜まった暖かい空気を第４部屋２２へと送る際の補助として用いることができ、前記第４部屋２２の窓２ａから空気を流入させることによって、第４部屋２２の天井部付近に溜まった暖かい空気を、前記排気塔２４を通じて外部へと排出することができるようになっている。
【００３５】
したがって、前記第１部屋１１、第２部屋１２、第３部屋２１および第４部屋２２に設けられた窓１１ａ、１２ａ、２１ａ、２２ａを開放することによって、外部から空気を招き入れて各部屋１１、１２、２１、２２内の暖かい空気をより上昇させることができるので、効率良く自然換気することが可能となっている。
【００３６】
なお、本実施の形態の建物１は、第１部屋１１をダイニング、キッチンとしたり、第２部屋１２をリビングとしたり等、上述したような間取りとなっているが、これに限られるものではなく、本発明の趣旨を逸脱しない範囲で適宜変更可能である。
【００３７】
本実施の形態によれば、建物１の下階１０において第１部屋１１よりも第２部屋１２の方が天井高が高くなるように設けられるとともに、これら第１部屋１１および第２部屋１２の天井高に合わせて、上階２０において第３部屋２１よりも第４部屋２２の方が床レベルが高くなるように設けられることによって、前記第２部屋１２の天井部付近と前記第３部屋２１の床付近との間に比較的大きい空間を形成することができ、この空間に収納室２を設けることができる。また、建物１の上階２０と下階１０とのほぼ中間に位置する第１上階床２０ａ上に比較的大きい収納スペースを設けることによって、下階１０や外部で使用する物品も、上階２０で使用する物品も収納しやすくなるので、建物１の収納性能を向上することが可能となる。さらに、同じ床レベルに前記収納室２と第３部屋２１とを設けることで、前記第３部屋２１からの物品の搬入および搬出がし易くなる。
その上、前記収納室２に前記第２部屋１２および第３部屋２１に面して開口部３、４が設けられることによって、下階１０の部屋の空気は上階２０へと行き渡りやすくなり、上階２０の部屋の空気は下階１０へと行き渡りやすくなるので、建物１全体の空気の流通性が向上し、建物１内の換気を行う際において効率良く自然換気を行うことが可能となる。
また、前記第４部屋２２の上部にロフト２３が設けられ、このロフト２３の天井部に、上端部が屋根２５から上方に突出して外部と連通する排気塔２４が設けられることによって、暖かい空気の上昇する性質を利用して建物１全体の暖かい空気を前記ロフト２３へと流入させて、この暖かい空気を前記排気塔２４を通じて外部へと排出することができるので、より効率良く自然換気を行うことが可能となる。
【００３８】
（第２の実施の形態）
次に、図面を参照して本発明に係る建物１の第２の実施の形態について説明する。なお、説明の便宜上、上述した第１の実施の形態とは異なる構成部分のみについて説明する。
【００３９】
本実施の形態の建物１Ｂは、上述した第１の実施の形態で示した第１部屋１１の場所に、この第１部屋１１のかわりとしてガレージ４０を備えている。
すなわち、本実施の形態の建物１Ｂは、図５に示すように、下階１０Ｂにおいて異なる天井高に設定されたガレージ４０および第２部屋１２Ｂと、下階１０Ｂの部屋に合わせ、上階２０Ｂにおいて異なる床レベルとなるように設定された第３部屋２１Ｂおよび第４部屋２２Ｂと、前記第２部屋１２Ｂの天井部付近と前記第３部屋２１Ｂの床付近との間に形成された収納室２Ｂとを備えている。
また、前記第４部屋２２Ｂの上部にはロフト２３Ｂが設けられ、このロフト２３Ｂの天井部には、上端部が屋根２５Ｂから上方に突出して外部と連通する排気塔２４Ｂが設けられている。
【００４０】
ここで、前記第２部屋１２Ｂは、前記ガレージ４０よりも天井高の高い部屋となっており、前記第４部屋２２Ｂは、前記第３部屋２１Ｂよりも床レベルの高い部屋となっている。また、前記収納室２Ｂおよび第３部屋２１Ｂは前記ガレージ４０の上部に位置することとなる。
【００４１】
以上のような本実施の形態の建物１Ｂによれば、上述した第１の実施の形態と同様の効果を得ることができるとともに、敷地内にガレージ４０を設けることができ、例えば、都市部等における狭小な敷地であっても有効的に活用することができるようになっている。
【００４２】
また、このようにガレージ４０を設けた場合、上述した第１の実施の形態で示した第１部屋１１内の暖かい空気を前記第２部屋１２Ｂの天井部付近に溜める必要がなくなる。すなわち、前記第２部屋１２Ｂの窓１２Ｂａから外部の空気を取り込むとともに、前記第２部屋１２Ｂの天井部付近に溜まった暖かい空気を、前記収納室２Ｂを介して前記第３部屋２１Ｂへと送るだけで下階１０Ｂの部屋の換気が済むので、さらに効率良く自然換気を行うことが可能となる。
【図面の簡単な説明】
【００４３】
【図１】本発明の第１実施形態に係る建物を示す断面図である。
【図２】開口部を開閉する開閉扉であり、（ａ）は引戸形式の開閉扉を示す斜視図であり、（ｂ）は開閉可能に設定されたルーバーを示す斜視図である。
【図３】本発明の第２実施形態に係る建物を示す断面図である。
【符号の説明】
【００４４】
１  建物
２  収納室
３  開口部
４  開口部
１０  下階
１０ａ  下階床
１１  第１部屋
１２  第２部屋
２０  上階
２０ａ  第１上階床
２０ｂ  第２上階床
２１  第３部屋
２２  第４部屋
２３  ロフト
２４  排気塔
【図１】
0004701074.tif 000002
【図２】
0004701074.tif 000003
【図３】
0004701074.tif 000004